(57)【要約】【課題】  ファクシミリ送信原稿の通信状況（送信済み、通信中）を把握しやすくする。【解決手段】  ファクシミリ送信画像の表示手段、ファクシミリ通信ＪＯＢの管理手段、ＪＯＢの検索手段を持ち、あらかじめＪＯＢ状況に対する文字列またはシンボル情報を関連付け、ＪＯＢ検索時ファクシミリ送信画像に前記文字列またはシンボル情報を付加して表示する。【選択図】  図１
2006222531.tif 000002
【特許請求の範囲】
【請求項１】
画像送信指示する手段、読取った画像をメモリに保存する手段、読取った画像を表示器に表示する手段、読取った保存画像と管理レコードとリンクする手段、管理レコードから画像を検索する手段、検索画像と通信状態または通信結果を関連づけて表示する手段、を有することを特徴とするファクシミリ装置。
【請求項２】
請求項１の検索画像と通信状態または通信結果を関連づけて表示する手段とは読取り画に通信結果をシンボル化したＣＧを付加して表示器に表示する手段であることを特徴とするファクシミリ装置。
【請求項３】
請求項２のシンボルＣＧ付加手段として元画像と演算加工する手段を有することを特徴とするファクシミリ装置。
【請求項４】
請求項１での通信指示時、秘匿するかどうか設定する手段をもち、秘匿の場合に送信画像を用いず他予め用意の画像を使用することを特徴とするファクシミリ装置。
【請求項５】
請求項１での通信指示時、秘匿にするかどうか設定する手段をもち、秘匿の場合に画像加工を行うことを特徴とするファクシミリ装置。
【請求項６】
請求項３のシンボルＣＧ付加手段として原画の副走査方向及び主走査方向に対し角度をつけて画像加工を行うことを特徴とするファクシミリ装置。
【請求項７】
請求項３のシンボルＣＧ付加において時間経過と共に付加行う位置を時間ごとに更新する手段を有することを特徴とするファクシミリ装置。
【発明の詳細な説明】
【技術分野】
【０００１】
本発明は、送信するために読取った画像の表示機能を持つ通信装置に関するものである。
【背景技術】
【０００２】
従来不特定多数の人々が使用するＦＡＸ装置で送信を行うと自分が送信したＦＡＸ画像が無事に届いたかどうかを知るのが以下のような参照手段しかなく、分り難いという欠点があった。
【０００３】
通信ログの表示機能（メモリ照会機能）
通信結果リスト
通信結果レポートなどの機能が利用されている。
【０００４】
「通信ログの表示機能」においては送信ログの表示機能通信状況を表示器に１通信毎に宛先と通信開始時間と通信の成否、ＮＧページなどを表示して確認するものである。
【０００５】
「通信結果リスト」は通信を行った宛先と通信開始時間と通信の成否、ＮＧページなどを載せ、例えばその２０通信分をファクシミリ装置の印字機能により表として印字するものである。
【０００６】
「通信ログの表示機能」「通信結果リスト」も、実際に不特定多数が使用するようなファクシミリ装置では、送信先相手がまったく同じ相手先（会社）で連続して使用されたような場合、自分の指示したファクシミリ原稿がどのような状態にあるのか（送信済み、送信中、未送信、エラー終了など）判別するには起動時間が頼りというようなものであり、判別がし難いという欠点があった。
【０００７】
「通信結果レポート」においては、宛先と通信開始時間と通信の成否、ＮＧページなどを印字した同ページ上に送信画像の一部を付加印字するものである。「通信結果レポート」においては画像が付加されるのでユーザーに対して認識性が非常に良いが、紙を消費するという欠点やレポートが印字された受信画像と混在されるという欠点があった。
【０００８】
又、別の従来例としては、例えば特許文献１と特許文献２をあげることが出来る。
【特許文献１】特開平９−１８６３４号公報
【特許文献２】特開平９−１３０５８５号公報
【発明の開示】
【発明が解決しようとする課題】
【０００９】
本発明は、ブラウザ表示をするために大画面化した表示機能を利用することにより、上記不具合点を改善するものである。
【課題を解決するための手段】
【００１０】
本発明においては、メモリ上に蓄積された画像と通信結果を関連づけて表示する手段により、通信結果の認識性、検索操作性を上げるものである。
【発明の効果】
【００１１】
以上のように、本発明によれば、送信画像と管理情報とＪＯＢ状況を関連付けて表示することにより不特定多数が使用するＦＡＸ装置等において、オペレータがＪＯＢの状況の認識しやすくするものである。
【００１２】
ＪＯＢ状況の表示手段としてオリジナルのＦＡＸ画像に対し、済みの意のシンボルをオーバーラップさせて表示することで、通常の情報表示より更に認識性を高めたものである。
【００１３】
上記ＪＯＢの付加シンボル情報をオリジナル画像と異なる角度を付けて付加することにより、付加画像であることを認識しやすくしたものである。
【００１４】
送信指示の際、秘匿か否かを指示する手段を付加し、ＪＯＢ参照機能動作時に表示しないようにすることにより機密性必要ユーザーにも対応可能としたものである。
【００１５】
上記ＪＯＢ表示の際に、原画画像に対し、モザイク処理などの画像処理を行うことにより原画を秘匿しながらも認識可能にしたものである。
【発明を実施するための最良の形態】
【００１６】
以下、本発明にかかる一実施形態の通信装置を説明する。
【００１７】
図１は実施形態の通信装置の構成例を示す構成図である。
【００１８】
図１において１００は装置全体を制御するための中央演算処理部（ＣＰＵ）であり、１０１はプログラム、およびデータを記憶するＲＯＭ、１０２は個人データ、電話帳などのバックアップ用のデータを格納する不揮発性ＲＡＭ、１０３はＣＰＵワークデータ、ＨＴＭＬデータ、表示用データ、記録用データなどを記憶する記憶部（ＤＲＡＭ）である。１０４は受信したＨＴＭＬデータを解析し、画像、テキストを切り分けたり、切り分けたデータを表示用および記録用データへ変換するＨＴＭＬ変換部である。ＣＰＵ１００はソフトプログラムにより読取り部１１２から読み込まれた２値データもしくは多値データの圧縮をも行う。１０５は受信したデータや装置の状態などを表示する表示部、１０６はテンキーなどから構成される操作部、１０７は受信した画像やテキストを記録するプリンタなどの記録部、１０８は回線１０９を接続し外部と通信するためのモデムなどから構成される通信部である。ここで各処理部はシステムバス１１０で接続される。１１１はセンサー群で、記録紙サイズの検出センサー、読取り原稿巾のセンサー、原稿ありなしのセンサーなどが含まれる。
【００１９】
図２は、表示部１０５の構成図であり、表示部１０５は、表示データを記憶するＶＲＡＭ２００とＶＲＡＭ２００の内容をドットマトリクスＬＣＤ２０２に出力させるためのＬＣＤドライバ２０１から構成される。機能のメニュー表示やＦＡＸ画像（送信、受信）、ＨＴＭＬデータを表示する。
【００２０】
図３は記憶部１０３の構成図であり、記憶部１０３（ＤＲＡＭ）はそれぞれＣＰＵ１００のワークとして使われるＣＰＵワークエリア、受信したＨＴＭＬデータを記憶するＨＴＭＬデータ格納エリア、表示データを記憶する表示用データ格納エリア、記録データを記憶する記録用データ格納エリア、ＦＡＸ画像データ格納エリア（送信、受信含む）、ＦＡＸ画像管理エリア、ＦＡＸ画像レコードデータ格納エリア。（ＦＡＸ関係の画像管理については第４図に表す。）およびその他のデータを記憶するその他のデータ格納エリアから構成される。
【００２１】
図４は図１システムをＨＴＭＬデータの処理の表示への流れとＦＡＸ画像の表示への流れについて書いたもの。
【００２２】
ＨＴＭＬ系を説明する。図中、ＨＴＭＬデータ格納エリア、表示用データ格納エリア、記録用データ格納エリアは前述した記憶部１０３に割り当てられたエリアであり、ＨＴＭＬデータ格納エリアは、インターネットから得られたＨＴＭＬデータおよび、ＧＩＦ、ＪＰＥＧなどの画像データを格納するために用いられ、表示用データ格納エリアは、ＨＴＭＬデータを展開した、ＬＣＤに表示させるためのデータを格納するために用いられる。
【００２３】
ＨＴＭＬ変換部１０４を説明する。
【００２４】
ＨＴＭＬ変換部１０４は、大きくＨＴＭＬデータ変換コア部４０１、文字データ変換部４０２、画像データ変換部４０３、文字データ変４０２、フォントデータ４０９からなる。
【００２５】
コア部４０１はシステムバス上からＨＴＭＬデータの取り入れ、文字、画像、レイアウトなど記されたデータ解析し分離して文字データ変換部４０２、画像データ変換部４０３に受け渡し各々データ変換を行い表示格納領域に転送を行う。
【００２６】
文字データ変換部４０２は現在の選ばれた（もしくはデータ上で指示されている）フォントとサイズと４０６の領域値から改行すべき文字数を割り出し、キャラクタ列を作りだす。そのキャラクタ列からフォントデータを検索、展開、表示用データを出力する。画像データ変換部４０３は画像デコード手段をもち、コア部４０１から画データを受け取ると画像デコード手段により展開（画像は多値データもある）、多値をディザまたは誤差拡散などの手法で表示または印字可能なデータに変換する。（多値からの変換は特にＨＴＭＬ変換内部で行うべきものはなく、この外側で行ってもよい。）
文字データ変換部４０２と画像データ変換部４０３で生成されたデータは４０４の切り換えにて目的（表示用、印字用）の格納部へ転送される。
【００２７】
ＦＡＸ送信または受信データは１０９回線を通して通信部１０８で受信復調され記憶部に記憶される。受信画像の管理は第５図にしますように管理される。管理情報に従い引き出された画像はＣＰＵでソフト的に解凍処理されで展開用バッファ４０５に詰め込まれる。展開されたデータはそのままでは表示できないので、倍率変換部４０６で倍率変倍を行いバッファ４０７に保持する。一方、同時に表示する若しくはオーバーラップさせて表示の為にデータに対するフォントデータを引き出しバッファ４０８に展開、二つのバッファに作成されたデータをＣＰＵで演算（概念図図ＸＸ参照）、フォントデータのある部分を上書き若しくはは、すかしとなるように処理を行う。
【００２８】
ＨＴＭＬデータとＦＡＸ画像は、ＣＰＵからの切り分け処理によりどちらかを選択、表示データ格納部へ転送する。この表示用データエリアに記憶されたデータの中で、表示が必要なデータが、表示部１０５のＶＲＡＭ２００ヘ送られ、ＬＣＤドライバ２０１でドライブされ、ドットマトリクスＬＣＤ２０２で表示される。
【００２９】
図５は画像メモリと画像管理を表す図である。左側が画像レコード領域であり、格管理レコードの使用か未使用か、通信状況（送信済みかどうか）、ＪＯＢの通信時刻、宛先、送信画像の格納ポインタ、もしくは受信画像のポインタを記憶保存する。画像格納エリアはブロックに分割され細かく使用状況を管理する。
【００３０】
以下本発明のＨＴＭＬ表示、ＦＡＸ送信の表示を説明する。
【００３１】
読取り部１１２で読取られたデータはＣＰＵ１００でソフトエンコード処理により圧縮され記録部１０３に格納される。
【００３２】
図６は本装置の操作部１０６であり、ＬＣＤなどの表示部２０２、電話番号などを入力するためのテンキー６０２、機能設定などに用いる機能キー６０３、マルチな入力に用いるファンクションキー６０４−１、６０４−２、６０４−３、６０４−４、および設定入力キーであるセットキー６０５と、表示部のカーソル移動などに用いる左右上下矢印キー６０６−１、６０６−２、６０６−３、６０６−４から構成される。
【００３３】
左右上下矢印キーはＨＴＭＬ画像が表示にて表示しきれないいような場合、キー操作でスクロールを受つけ表示を行う。またはＦＡＸ送信画像、受信画像を表示した中は、表示するデータ領域をスクロールする場合に使用する。（他使用方法としては、次のＦＡＸ送信ＬＯＧ表示への指示キーとしても良い。∧で前のＪＯＢ、∨で次のＪＯＢ表示。）
図１２フローチャートを説明する。
【００３４】
本チャートは待機状態を表す。待機時はシステムのイベント監視を行う。回線系ではＣＩ信号の監視。操作系では操作部でキー入力により送信指示があるか、受信指示がある、コピーの指示が行われるか、通信ＪＯＢの表示指示があるか等監視し、イベントに応じて動作機能を開始する。分岐後の動作は後述。
【００３５】
図１３フローチャートの説明を行う。
【００３６】
本チャートは送信動作を表す。操作部よりのキー入力を受ける。（Ｓ１３−１）
この指示先の原稿を秘匿にしたいかどうかをオペレータに問うため、表示器上に「秘匿にしますか」を表示し判断と指示入力を促す。（Ｓ１３−２）秘匿にすると不特定多数が使用するしまた送信ＪＯＢを検索しにきた場合、ＪＯＢで指示した原稿を検索の際に表示しない。または、予め用意してある画像（白紙等）を表示。これにより丸秘文書などの秘匿が可能となる。（図１１）別実施例として画像加工して内容が一見してわからないようにして表示。（図１９）この実施形の場合、文書の輪郭が判別可能であるため、送信したユ−ザーには判別が可能という効果がある。ＪＯＢのレコードを獲得した際に秘匿ステータスを伝えるように情報を保持（Ｓ１３−３）。次にキー入力で与えられた情報からダイヤリング宛先を検索（Ｓ１３−４）。通信タスクや通信管理で情報受け渡しの目的とするレコードを獲得に向かう。レコードの情報は第５図に示す。レコード配列のなかから空きを検索。（Ｓ１３−５）空きのない場合送信ＪＯＢでもっとも古いレコードを検索（Ｓ１３−６）。設定が自動的に削除許可の場合、該当レコードを削除、かつレコードリンクされる画像メモリも削除をおこなう。自動削除設定でない場合は警告を発しオペレータにメモリ削除等の操作を促す。（Ｓ１３−９）待機戻り。
【００３７】
レコードに空きがあった若しくは削除によりレコードを獲得できれば、以上の宛先、時間情報、秘匿する／しないの情報を新規レコードとして格納＆生成。（Ｓ１３−１０）。送信原稿を読み込み、順次ソフトにて圧縮、画像領域に格納する。格納画像の情報は先に格納したレコードと関連づけら記憶される（Ｓ１３−１２）。レコード情報は通信のタスクに流され、宛先情報にしたがい回線発呼し交換機に接続。（Ｓ１３−１３）。交換機をとおり無事被呼に接続したら、ＦＡＸプロトコルで通信、画像情報を伸張、相手能力に合わせて圧縮伝送する。（Ｓ１３−１４）以上通信状況をレコードに保持する。通信は交換機のトラフィックにより、または相手の状況により伝送の成功、非成功がまちまちとなる。このようになんらかのＢＵＳＹの場合、ＪＯＢを実行するために待ちとなる。
【００３８】
図１４はＪＯＢ表示確認動作を説明するもの。
【００３９】
不特定多数が使用するＦＡＸ装置で自分が指示したＦＡＸ画像が無事送信終了したか否かを確認する為の機能である。キー上からスクロールキーによりＪＯＢの参照を行おうとオペレータが入力を行って来る。（Ｓ１４−１）最後まで検索した場合は待機に戻る。（Ｓ１４−２）送信ステータスのＪＯＢをレコードから探し画像情報がリンクされているので画像があれば画像を伸張展開及び表示部と倍率に対応する解像度変換を行う。もしレコードが秘匿ステータスであれば画像は展開しない。（ごみの表示はしないようにバッファのクリアは行う）次にそのＪＯＢの状態が何であるかにより付加文字画像を生成する。
【００４０】
図１５参照。レコードに記されている通信状態ステータスを読み出す。（Ｓ１５−１）ステータスに応じて文字列を決定する。通信が無事終了していれば「済み」。フローには書いていないがリダイヤル待機中ならば、「リダイヤル待機中」。通信実行中ならば「通信中」。通信エラーにより正常終了していなければ「通信エラーしました」のように文字列を決定します。（Ｓ１５−３）（Ｓ１５−６）。このときＪＯＢ終了時間の情報も付加してもよい。（Ｓ１５−４）。ＪＯＢが秘匿の場合は「丸秘」。最後のＪＯＢの生成時刻も付加する。
【００４１】
図１４に戻る。以上文字列情報からフォントをデータを引き出し先の伸張済みの画像情報と演算する。演算の概念図は第７図。簡単な方法としてはもとのＦＡＸ画像がモノクロで青成分を抜き、赤でフォント成分を付加などの方法で、画像に上書きしても人間が認識することで、ＦＡＸ画像ではなく付加文字であることがわかり易くなる。加工画像データは表示データ領域へ転送する。（Ｓ１５−９）データを表示。（Ｓ１５−１０）
表示後はオペレータの操作を待つ。（Ｓ１５−１１）のループ。再送信指示ならば再送信（Ｓ１５−１２）。消去キーならばＪＯＢの消去。（Ｓ１５−１３）。表示倍率変更ならば倍率変更し際表示動作へ。（Ｓ１５−１４、Ｓ１５−１６）。ＳＴＯＰキーであれば終了。スクロールキーであればＳ１５−１にもどり次のレコード検索を行う。
【００４２】
図８は本発明表示部待機画面の図である。
【００４３】
図９は本発明送信済み原稿表示の図。当実施例では画像域とかさならない領域に「送信済み」の文字列を表示している図。
【００４４】
図１０は本発明実施例表示部送信済み原稿表示の図であるが、ＦＡＸ画像上に済み印を付加した実施形である。操作のキー部が拡大縮小の実施形。（この場合、スクロールキー側の押下で次ＪＯＢに移る。）
図１６は本発明実施例表示部送信済み原稿表示の図であるが、ＦＡＸ画像上に済み印を付加した実施形である。操作のキー部が次ＪＯＢの表示の制御を行う。
【００４５】
図１７は本発明実施例表示部送信済み原稿表示の図であるが、ＦＡＸ画像上に済み印を付加した実施形であり、さらに宛先情報と送信終了時刻、かつ元画像と付加文字が視認性がよくなるように角度をつけた実施形例である。
【００４６】
図１８は本発明実施例表示部送信中原稿表示の図である。図１７の送信中のステータス表示を表す。
【００４７】
図１１は本発明実施例表示部送信済み画像が秘匿指示の場合の図である。図のように画像展開せず時刻程度の文字付加の表示をおこなう。宛先程度ならば表示でもよいであろう。
【００４８】
図１９は本発明実施例表示部送信済み画像が秘匿指示の場合の図である。図のように画像展開を行うが画像全体にモザイク画像処理を行うことで内容を読まれることのないようにするものである。この場合、現画像の輪郭は把握可能であるので送信指示者は秘匿にしながらも自分のＪＯＢであることが判別しやすい利点がある。
【図面の簡単な説明】
【００４９】
【図１】本発明を実施した通信装置の構成を示したブロック図である。
【図２】本発明を実施した通信装置の表示部の構成を示したブロック図である。
【図３】本発明を実施した通信装置の記憶部の構成を示したブロック図である。
【図４】本発明を実施例、ＦＡＸ画像と表示系のデータの流れを示したブロック図である。
【図５】本発明を実施例、画像レコードとその管理構成を表すブロック図である。
【図６】本発明を実施した通信装置の操作部を示したブロック図である。
【図７】本発明例実施例、（カラー）送信画像にＣＧ付加する概念図
【図８】本発明実施系の操作部、表示部（待機時）
【図９】本発明実施系の操作部、表示部（送信原稿表示）
【図１０】本発明実施系の操作部、表示部例（送信済み原稿）。済み印
【図１１】本発明実施系操作部、表示部例（送信済み原稿秘匿の場合の図）。
【図１２】本発明フローチャート。
【図１３】本発明フローチャート。
【図１４】本発明フローチャート。
【図１５】本発明フローチャート。
【図１６】本発明その他の実施系の操作部、表示部例（送信済み原稿）。
【図１７】本発明実施系（従属クレーム）の操作部、表示部例（送信済み原稿）。
【図１８】本発明実施系（従属クレーム）の操作部、表示部例（送信中原稿）。
【図１９】本発明従属クレームの実施系操作部、表示部例（送信済み原稿秘匿の場合の図）。
【符号の説明】
【００５０】
１００  ＣＰＵ
１０１  ＲＯＭ
１０２  不揮発性ＲＡＭ
１０３  データ記憶部
１０４  ＨＴＭＬ変換部
１０５  表示部
１０６  操作部
１０７  記録部
１０８  通信部
１０９  回線
１１０  バス
１１１  センサー群
１１２  読取り部
４０１  ＨＴＭＬデータ解析コア部
４０２  文字データ変換部
４０３  画像データ変換部
４０４  切り換え
４０５、４０６、４０７、４０８  領域
【図１】
2006222531.tif 000003
【図２】
2006222531.tif 000004
【図３】
2006222531.tif 000005
【図４】
2006222531.tif 000006
【図５】
2006222531.tif 000007
【図６】
2006222531.tif 000008
【図７】
2006222531.tif 000009
【図８】
2006222531.tif 000010
【図９】
2006222531.tif 000011
【図１０】
2006222531.tif 000012
【図１１】
2006222531.tif 000013
【図１２】
2006222531.tif 000014
【図１３】
2006222531.tif 000015
【図１４】
2006222531.tif 000016
【図１５】
2006222531.tif 000017
【図１６】
2006222531.tif 000018
【図１７】
2006222531.tif 000019
【図１８】
2006222531.tif 000020
【図１９】
2006222531.tif 000021